(57)【要約】【目的】弁鳴り抑制効果が高く、しかも低コストな玉弁装置を提供する。【構成】弁体としての球体をコイルスプリングにより流体入口側である弁座に弾性的に圧接させた構造の玉弁装置において、球体の下流側の前記コイルスプリング内であって且つ流体経路内に、流体の加圧による開弁時に球体の流体下流側である後面を支持して該球体の液体下流側への移動を任意の位置までで規制する構成のボールストッパー部材を配設したことを特徴とする玉弁装置である。【選択図】        図１
2005195060.tif 000002
【特許請求の範囲】
【請求項１】
弁体としての球体をコイルスプリングにより流体入口側である弁座に弾性的に圧接させた構造の玉弁装置において、球体の下流側の前記コイルスプリング内であって且つ流体経路内に、流体の加圧による開弁時に球体の流体下流側である後面を支持して該球体の液体下流側への移動を任意の位置までで規制する構成のボールストッパー部材を配設したことを特徴とする玉弁装置。
【請求項２】
前記ボールストッパー部材が、矢符形状の板体から成り、矢符先端部に弁体である球体に当接支持する支持面を有し、矢符の矢尻部（楔部）後端がコイルスプリング基端部のケーシング内流体経路に形成された段部に掛止する構成であることを特徴とする請求項１に記載の玉弁装置。
【請求項３】
前記ボールストッパー部材が、流路方向から見たときにＹ字形、＋字形、＊字形の如き複数枚の矢羽根状に形成されていることを特徴とする請求項２に記載の玉弁装置。
【請求項４】
前記ボールストッパー部材の矢符先端部が、球体の球面に略一致する凹状球面に形成されていることを特徴とする請求項２又は３に記載の玉弁装置。
【請求項５】
前記ボールストッパー部材が、コイルスプリング内を通る流体の流路方向に沿って配置されて整流する構成であることを特徴とする請求項２〜４のいずれかに記載の玉弁装置。
【発明の詳細な説明】
【技術分野】
【０００１】
本発明は玉弁装置に関し、詳しくは弁鳴りの発生を抑制した玉弁装置に関する。
【背景技術】
【０００２】
玉弁装置は、逆止弁、リリーフ弁ないし安全弁等としてプラントや工場等で使用されるボイラーないしボイラーへの給水ポンプ系や油輸送ポンプ系の如き流体機器に広く利用されている（例えば、特許文献１等参照）。
【０００３】
この種の従来公知の玉弁装置にあっては、球体（玉弁）とコイルスプリングからなる弁体の共振、いわゆる弁鳴りが発生する欠点を有している。
【０００４】
弁鳴りは、弁体やケーシング等の各部材の磨耗及び疲労につながり、強度及び気密性の低下や応答性不良等を招き、耐久性や信頼性を低減させるという欠点を有している。
【０００５】
そこで、弁鳴りを抑制する技術として、特許文献２や特許文献３等が既に提案されている。
【特許文献１】特開２００１−１４１０８４号公報
【特許文献２】特開２００１−１７３８１６号公報
【特許文献３】特公平２−３２５０６号公報
【発明の開示】
【発明が解決しようとする課題】
【０００６】
特許文献２の技術は、弁ストッパーを配設し、該弁ストッパーにより玉弁及びコイルスプリングの横揺れを抑制している。
【０００７】
特許文献３の技術は、コイルスプリングに押圧された玉弁に円筒子を当接させ、該円筒子と案内羽根材との共同作用によって弁鳴りを防止している。
【０００８】
しかし、両技術共にコスト面での問題があり、弁鳴り防止についても不満が残っていた。
【０００９】
そこで本発明は、弁鳴り抑制効果が高く、しかも低コストな玉弁装置を提供することを課題とする。
【課題を解決するための手段】
【００１０】
上記本発明の課題は下記構成によって達成される。
【００１１】
１．弁体としての球体をコイルスプリングにより流体入口側である弁座に弾性的に圧接させた構造の玉弁装置において、球体の下流側の前記コイルスプリング内であって且つ流体経路内に、流体の加圧による開弁時に球体の流体下流側である後面を支持して該球体の液体下流側への移動を任意の位置までで規制する構成のボールストッパー部材を配設したことを特徴とする玉弁装置。
【００１２】
２．前記ボールストッパー部材が、矢符形状の板体から成り、矢符先端部に弁体である球体に当接支持する支持面を有し、矢符の矢尻部（楔部）後端がコイルスプリング基端部のケーシング内流体経路に形成された段部に掛止する構成であることを特徴とする上記１に記載の玉弁装置。
【００１３】
３．前記ボールストッパー部材が、流路方向から見たときにＹ字形、＋字形、＊字形の如き複数枚の矢羽根状に形成されていることを特徴とする上記２に記載の玉弁装置。
【００１４】
４．前記ボールストッパー部材の矢符先端部が、球体の球面に略一致する凹状球面に形成されていることを特徴とする上記２又は３に記載の玉弁装置。
【００１５】
５．前記ボールストッパー部材が、コイルスプリング内を通る流体の流路方向に沿って配置されて整流する構成であることを特徴とする上記２〜４のいずれかに記載の玉弁装置。
【発明の効果】
【００１６】
本発明によれば、ケーシング内に配設したボールストッパー部材により、加圧開弁時の玉弁の安定性を確保することができるので、共振の発生を防ぐことができ、弁鳴りを抑制することができる。しかも、簡単な構成のボールストッパー部材を流体経路内に付加した簡易な構成であるので、低コストであり、保守・点検や部品交換も容易且つ能率的に行うことができる。
【発明を実施するための最良の形態】
【００１７】
図１は本発明に係る玉弁装置の一実施例を示す断面図、図２は図１の分解斜視図、図３はボールストッパー部材の先端部の要部拡大断面図、図４はボールストッパー部材の側面図（流路方向から見た図）である。
【００１８】
図１及び図２において、本発明に係る玉弁装置１は、弁体としての球体２をコイルスプリング３により流体入口５２側である弁座５１に弾性的に圧接させた構造を有しており、球体２の下流側の前記コイルスプリング３内であって且つ流体経路内に、流体の加圧による開弁時に球体２の流体下流側である後面を支持して該球体２の液体下流側への移動を任意の位置までで規制する構成のボールストッパー部材４を配設した構成を有している。
【００１９】
玉弁装置１の本体（弁箱）は、第１ケーシング５と第２ケーシング６から成り、流体は、第１ケーシング５の流体入口５２から入り、加圧による開弁によって弁座５１と球体２間を通り、コイルスプリング３内を通過し、第２ケーシング６の流体出口６２より各種装置等の流体経路へ流れることとなる。
【００２０】
尚、図１及び図２において、７は逆流防止時の漏れ止めのためのボールシール、５３は第１ケーシング５の入口継手、６１は第２ケーシング６内の流体経路に設けられてコイルスプリング３の基端部の掛止固定位置となる段部、６３は出口継手である。
【００２１】
ボールストッパー部材４は、図１及び図２に示すように矢符形状の板体から成り、矢符先端部に弁体である球体に当接支持する支持面４１を有し、矢符の矢尻部（楔部）後端４２がコイルスプリング３の基端部の第２ケーシング６内の流体経路に形成された段部６１に掛止する構成を有している。
【００２２】
液体の加圧による開弁時に下流側に移動する球体２は、ボールストッパー部材４の先端部である支持面４１に球体２の後面が当接することにより該球体２の移動は任意の位置までで規制（限定）されることになる。
【００２３】
ボールストッパー部材４の支持面４１は、図３に示すように、加圧開弁時の球体２を安定した状態で支持できるように該球体２の球面に略一致する凹状球面に形成されていることが好ましい。支持面４１を凹状球面に形成することにより、球体３の後面と支持面４１とが面接触すると共に凹内に球体２の一部が嵌まり込むことになるので、弁鳴り（共振）抑制効果が著しく高くなる。
【００２４】
ボールストッパー部材４は、図４に示すように、流路方向（図１及び図２において左から右方向）から見たときにＹ字形（３枚の矢羽根状。図４（Ａ）参照。図１及び図２も参照）、＋字形（４枚の矢羽根状。図４（Ｂ）参照）、＊字形（６枚の矢羽根状。図４（Ｃ）参照）、５枚の矢羽根状（図４（Ｄ）参照）、８枚の矢羽根状（図４（Ｅ）参照）の如き複数枚の矢羽根状に形成されていることが好ましい。流体の流れ易さ及び球体の弁鳴り（共振）抑制効果の点から図４（Ａ）に示すＹ字形（３枚の矢羽根状）が最も好ましい。
【００２５】
更に、ボールストッパー部材４は、コイルスプリング３内を通る流体の流路方向に沿って、即ち、流体入口５２方向から流体出口６２方向と平行に、配置された板状体という構成を有しているので、ボールストッパー部材４に沿って流体が流れることになるため、コイルスプリング３の各コイル部を通過する際に部分的にいったん乱れた流れも整流されることとなる。
【００２６】
球体２の後面の支持と、流体の整流効果の相乗効果により、加圧開弁時の玉弁の安定性がより高まるため、共振の発生をより抑制することができ、弁鳴りの発生を著しく減じることができる。しかも、簡単な構成のボールストッパー部材４を流体経路内に付加した簡易な構成であるので、低コストであり、保守・点検や部品交換も容易且つ能率的に行うことができる。
【図面の簡単な説明】
【００２７】
【図１】本発明に係る玉弁装置の一実施例を示す断面図
【図２】図１の分解斜視図
【図３】ボールストッパー部材の先端部の要部拡大断面図
【図４】ボールストッパー部材の側面図（流路方向から見た図）
【符号の説明】
【００２８】
１  玉弁装置
２  球体
３  コイルスプリング
４  ボールストッパー部材
４１  支持面
４２  矢符の矢尻部（楔部）後端
５  第１ケーシング
５１  弁座
５２  流体入口
５３  入口継手
６  第２ケーシング
６１  段部
６２  流体出口
６３  出口継手
７  ボールシール
【図１】
2005195060.tif 000003
【図２】
2005195060.tif 000004
【図３】
2005195060.tif 000005
【図４】
2005195060.tif 000006